(57)【要約】  別の方法でジッパーを使用することになる任意の人により、片手操作可能な自己整合型ジッパー、または物理的及び発育上の制限がある、もしくは防寒手袋またはミトンなどの用品を付けた人による、自己整合型ジッパーの使用が開示される。自己整合型ジッパーの各半分の部分の適切な整合は、ジッパーの適切な整合および動作を確実にする、構造的な案内要素に沿った対向する極性の磁石によって達成される。  【選択図】  図１
2014526316.tif 000002
【特許請求の範囲】
【請求項１】
ファスナー装置であって、
第１の磁石と、凸型保持要素と、第１の延長部とを有する第１の下部本体と、
第２の磁石と、凹型保持要素と、第２の延長部とを有する第２の下部本体と、
を有し、
前記第２の下部本体の前記凹型保持要素は、前記第１の下部本体の前記凸型保持要素を受容する切り欠き部と、前記第１の磁石と前記第２の磁石との吸引力を通して当該凹型保持要素が前記第１の下部本体の前記凸型保持要素に適切に整合されるように案内する傾斜面を有するものである、
ファスナー装置。
【請求項２】
請求項１記載のファスナー装置において、前記第１のまたは第２の磁石は少なくとも部分的に強磁性材料を有するものであるファスナー装置。
【請求項３】
請求項１記載のファスナー装置において、前記第１のまたは第２の磁石は、溝部が形成されているものであるファスナー装置。
【請求項４】
請求項３記載のファスナー装置において、さらに、
前記第１の磁石を保持するためのＵ字型クリップを有するものであるファスナー装置。
【請求項５】
請求項３記載のファスナー装置において、さらに、
前記第２の磁石を保持するためのＵ字型クリップを有するものであるファスナー装置。
【請求項６】
請求項３記載のファスナー装置において、前記第１の下部本体は、さらに、
前記第１の磁石を保持するための第１の留め具と第２の留め具とを有するものであるファスナー装置。
【請求項７】
請求項３記載のファスナー装置において、前記第２の下部本体は、さらに、
前記第２の磁石を保持するための第１の留め具と第２の留め具とを有するものであるファスナー装置。
【請求項８】
請求項１記載のファスナー装置において、前記第１の下部本体は、さらに、
第１の整合形状部を有するものであるファスナー装置。
【請求項９】
請求項１記載のファスナー装置において、前記第２の下部本体は、さらに、
第２の整合形状部を有するものであるファスナー装置。
【請求項１０】
片手操作用の自己整合型ジッパーであって、
第１の磁石と、凸型保持要素と、第１の延長部とを有する第１の下部本体と、
複数の務歯を有し、かつ前記第１の下部本体に取着された第１のジッパー軌道と、
前記第１のジッパー軌道にスライド自在に接続されるスライダー本体部と、
第２の磁石と、凹型保持要素と、第２の延長部とを有する第２の下部本体と、
複数の務歯を有し、かつ前記第２の下部本体に取着された第２のジッパー軌道と、
を有し、
前記第２の下部本体の前記凹型保持要素は、前記第１の下部本体の前記凸型保持要素を受容する切り欠き部と、前記第１の磁石と前記第２の磁石との吸引力を通して当該凹型保持要素が前記第１の下部本体の前記凸型保持要素に適切に整合されるように案内する傾斜面とを有するものである、
自己整合型ジッパー。
【請求項１１】
請求項１０記載の自己整合型ジッパーにおいて、さらに、
前記第２の下部本体に取着された開始歯を有するものである自己整合型ジッパー。
【請求項１２】
請求項１０記載の自己整合型ジッパーにおいて、前記第１のまたは第２の磁石は、少なくとも部分的に強磁性材料を有するものである自己整合型ジッパー。
【請求項１３】
請求項１０記載の自己整合型ジッパーにおいて、前記第１の又は第２の磁石は、溝部が形成されているものである自己整合型ジッパー。
【請求項１４】
請求項１３記載の自己整合型ジッパーにおいて、さらに、
前記第１の磁石を保持するためのＵ字型クリップを有するものである自己整合型ジッパー。
【請求項１５】
請求項１３記載の自己整合型ジッパーにおいて、前記第２の磁石を保持するためのＵ字型クリップを有するものである自己整合型ジッパー。
【請求項１６】
請求項１３記載の自己整合型ジッパーにおいて、前記第１の下部本体は、さらに、
前記第１の磁石を保持するための第１の留め具と第２の留め具とを有するものである自己整合型ジッパー。
【請求項１７】
請求項１３記載の自己整合型ジッパーにおいて、前記第２の下部本体は、さらに、
前記第２の磁石を保持するための第１の留め具と第２の留め具とを有するものである自己整合型ジッパー。
【請求項１８】
請求項１０記載の自己整合型ジッパーにおいて、前記第１の下部本体は、さらに、
第１の整合形状部を有するものである自己整合型ジッパー。
【請求項１９】
請求項１０記載の自己整合型ジッパーにおいて、前記第２の下部本体は、さらに
第２の整合形状部を有するものである自己整合型ジッパー。
【請求項２０】
片手操作用の自己整合型ジッパーであって、
第１の磁石と、凸型保持要素と、第１の延長部とを有する第１の下部本体と、
複数の務歯を有し、かつ前記第１の下部本体に取着された第１のジッパー軌道と、
第２の磁石と、凹型保持要素と、第２の延長部とを有する第２の下部本体と、
複数の務歯を有し、かつ前記第２の下部本体に取着された第２のジッパー軌道と、
前記第２のジッパー軌道にスライド自在に接続されるスライダー本体部と、
を有し、
前記第２の下部本体の前記凹型保持要素は、前記第１の下部本体の前記凸型保持要素を受容する切り欠き部と、前記第１の磁石と前記第２の磁石との吸引力を通して当該凹型保持要素が前記第１の下部本体の前記凸型保持要素に適切に整合されるように案内する傾斜面とを有するものである自己整合型ジッパー。
【請求項２１】
請求項２０記載の自己整合型ジッパーにおいて、さらに、
前記第１の下部本体に取着された開始歯を有するものである自己整合型ジッパー。
【請求項２２】
請求項２０記載の自己整合型ジッパーにおいて、前記第１のまたは第２の磁石は、少なくとも部分的に強磁性材料を有するものである自己整合型ジッパー。
【請求項２３】
請求項２０記載の自己整合型ジッパーにおいて、前記第１のまたは第２の磁石は、溝部が形成されているものである自己整合型ジッパー。
【請求項２４】
請求項２３記載の自己整合型ジッパーにおいて、さらに、
前記第１の磁石を保持するためのＵ字型クリップを有するものである自己整合型ジッパー。
【請求項２５】
請求項２３記載の自己整合型ジッパーにおいて、さらに、
前記第２の磁石を保持するためのＵ字型クリップを有するものである自己整合型ジッパー。
【請求項２６】
請求項２３記載の自己整合型ジッパーにおいて、前記第１の下部本体は、さらに、
前記第１の磁石を保持するための第１の留め具と第２の留め具とを有するものである自己整合型ジッパー。
【請求項２７】
請求項２３記載の自己整合型ジッパーにおいて、前記第２の下部本体は、さらに、
前記第２の磁石を保持するための第１の留め具と第２の留め具とを有するものである自己整合型ジッパー。
【請求項２８】
請求項２３記載の自己整合型ジッパーにおいて、前記第１の下部本体は、さらに、
第１の整合形状部を有するものである自己整合型ジッパー。
【請求項２９】
請求項２３記載の自己整合型ジッパーにおいて、前記第２の下部本体は、さらに、
第２の整合形状部を有するものである自己整合型ジッパー。
【請求項３０】
ファスナー装置であって、
第１の磁石と、凸型保持要素と、第１の延長部とを有する第１の下部本体であって、２つのセクションからなり、当該第１のセクションおよび当該第２のセクションは結合されて前記第１の磁石を保持するものである、前記第１の下部本体と、
第２の磁石と、凹型保持要素と、第２の延長部とを有する第２の下部本体であって、２つのセクションからなり、当該第１のセクションおよび当該第２のセクションは結合されて前記第２の磁石を保持するものである、前記第２の下部本体と、
を有し
前記第２の下部本体の前記凹型保持要素は、前記第１の下部本体の前記凸型保持要素を受容する切り欠き部と、前記第１の磁石と前記第２の磁石との吸引力を通して当該凹型保持要素が前記第１の下部本体の前記凸型保持要素に適切に整合されるように案内する傾斜面とを有するものである
ファスナー装置。
【請求項３１】
請求項３０記載の自己整合型ジッパーにおいて、前記第１のまたは第２の磁石は、少なくとも部分的に強磁性材料を有するものであるファスナー装置。
【請求項３２】
請求項３０記載の自己整合型ジッパーにおいて、前記第１の下部本体は、さらに、
第１の整合形状部を有するものであるファスナー装置。
【請求項３３】
請求項３０記載の自己整合型ジッパーにおいて、前記第２の下部本体は、さらに、
第２の整合形状部を有するものであるファスナー装置。
【発明の詳細な説明】
【技術分野】
【０００１】
関連出願の相互参照
本出願は、Ｐｅｔｅｒｓらによる、「Ｓｅｌｆ−Ａｌｉｇｎｉｎｇ  Ｚｉｐｐｅｒ」と題された、２０１１年９月１２日出願の米国特許出願整理番号第６１／５３３，７７４号、および「Ｓｅｌｆ−Ａｌｉｇｎｉｎｇ  Ｚｉｐｐｅｒ」と題された、２０１２年９月１０日出願の米国特許出願整理番号第１３／６０８，４６９号の優先権を主張するものであり、その全開示は、参照によりその全体が本明細書に組み込まれる。
【０００２】
本発明は、ファスナー装置に関し、より具体的には、片手で整合および閉鎖することができる自己整合型ジッパーに関する。
【背景技術】
【０００３】
一般的なジッパーは、１００年より前に発明された。１８５１年に、ミシンも発明した、Ｅｌｉａｓ  Ｈｏｗｅは、「自動連続衣料閉鎖具（Ａｕｔｏｍａｔｉｃ  Ｃｏｎｔｉｎｕｏｕｓ  Ｃｌｏｔｈｉｎｇ  Ｃｌｏｓｕｒｅ）」に対して米国特許第８，５４０号を受けている。しかしながら、マーケティングが欠けていたため、Ｈｏｗｅの閉鎖装置はほとんど受け入れられなかった。数年後、Ｗｈｉｔｃｏｍｂ  Ｊｕｄｓｏｎは「クラスプ・ロッカー（Ｃｌａｓｐ  Ｌｏｃｋｅｒ）」（米国特許第５０４，０３８号、および同第５０４，０３７号）のマーケッティングを行い、Ｕｎｉｖｅｒｓａｌ  Ｆａｓｔｅｎｅｒ  Ｃｏｍｐａｎｙを創設したが、ここでも製品は、ほとんど商業的な成功をおさめることはできなかった。その後、１９０６年にスウェーデン系アメリカ人の電気技術者Ｇｉｄｅｏｎ  Ｓｕｎｄｂａｃｋが、Ｕｎｉｖｅｒｓａｌ  Ｆａｓｔｅｎｅｒ  Ｃｏｍｐａｎｙに雇用された。１９１３年に、彼は、近代的なジッパーとして知られるようになるものを設計した。彼の「分離可能なファスナー（Ｓｅｐａｒａｂｌｅ  Ｆａｓｔｅｎｅｒ）」に対する特許は、米国特許第１，２１９，８８１号として１９１７年に発行された。
【０００４】
ところで、「ジッパー」という用語は、ＳｕｎｄｂａｃｋのファスナーをＢ．Ｆ．Ｇｏｏｄｒｉｃｈ  Ｃｏｍｐａｎｙが、新しいタイプのゴム長靴に使用したときに、彼らによって一般的になった。２０年近くにわたって、ジッパーは、主としてゴム長靴と、タバコのパウチを閉じるために使用された。ジッパーが衣服に付くのが一般的になる１９３０年代までは、これは一般的ではなかった。今日では、ジッパーは、間違いなく最も一般的なファスナーである。ジッパーは、ジャケットなどの衣類、旅行鞄、バッグ、キャンプ用品、および多くの他の対象物で見出される。ジッパーは、ズボン、ドレス、およびジャケットなど、すべての種類の衣類、バッグおよび旅行鞄などの運搬道具、ならびに寝袋およびテントなどの機材用具の上に見出すことができる。装飾として役立つことに加えて、ジッパーは、ドレスのオペレーションでのように衣服の２つ側面をともに結合することができ、さらに取り外し可能なフードのジャケットへの取り付けなどの、布地の２つの部分を取り外し可能に取り付ける手段として、役立てることができる。
【０００５】
ジッパーなどのファスナー装置は、分離型または非分離型とすることができ、かつ１方向または２方向装置とすることができる。分離型ジッパーでは、テープおよび取り付けられた務歯からなる２つのジッパー軌道（ｚｉｐｐｅｒ  ｔｒａｃｋ）のそれぞれは、相互係止するジッパーの務歯のみによって主として結合される異なる要素に接続される。非分離型ジッパーでは、務歯の相互係止および係脱がその要素に開口部を作製するように両方のジッパー軌道は単一の要素に接続されている。２方向ジッパーは、務歯を相互係止および係脱するために、一緒に、または別々に動作する２つのスライダー本体部を備える。１方向ジッパーは、単一のスライダー本体部と、ジッパー軌道の少なくとも１つに含まれる務歯を整合する、ピンとボックスとのアセンブリとを備える。
【０００６】
その最も単純な形態では、１方向分離型ジッパーは、比較的少数の部品から組み立てられ、それぞれの務歯の列の下限部にピンおよび保持部本体を含む開始アセンブリと、片側が布地に取り付けられ、もう一方の側が務歯を含む２片のテープと、プルタブ付きのスライダー本体部と、それぞれの歯の列の上限における２つの頂部停止部と、を含む。
【０００７】
２片の布地を互いに締結するために、操作者は、１つの歯の列の下限からのピンを、もう一方の歯の列の適合する下限において保持部ボックス内に挿入する。これは、操作可能な相互係止形態へと歯を整合する。整合すると、操作者は、スライダー本体部と呼ばれるラッチ機構を歯のトラックに沿って引く。本体の内側の楔形が、それぞれのトラックの歯が相互作用するように強制する。歯が整合していれば、それぞれの歯のフックは、相手側の歯の中空部内に嵌る。操作者は、スライダー本体部を引き続け、それぞれの歯の列の上限に位置する頂部停止部でスライダーが終了するまで、歯を相互係止することができる。
【０００８】
布地片を締結解除するためには、操作者は、スライダー本体部を閉鎖したトラックに沿って戻るように引く。スライダー本体部の内側の楔は、強制的に相互係止している歯を離し、ジッパーの閉鎖を分離する。
【発明の概要】
【発明が解決しようとする課題】
【０００９】
ジッパータイプの閉鎖動作の容易さにも関わらず、多くの人々は、ピンと本体とをともに結合することの困難に遭遇している。他の人々は、小さいスライダー本体部を把持すること、またはこれをジッパーの歯に沿って引っ張ることに困難を有することがある。こうした困難にしばしば遭遇する人々の例としては、幼い子供、保護のために手袋をはめている人、高齢者、および低い視力、黄斑変性、または白内障の人が挙げられる。追加的に、関節炎、多発性硬化症、脳性小児まひ、広汎性発達障害、ダウン症候群、運動失調、神経症をともなう糖尿病、発作（脳血管発作）、対まひ、ルー・ゲーリック病、パーキンソン病、および他の病気などの障害がある人は、ジッパーの操作が困難である可能性がある。
【００１０】
ジッパーに関する技術については、１００年よりも前の最初の紹介以来、ごくわずかしか進歩してこなかった。Ｐｅｔｅｒｓらの米国特許第８，１４６，２１４号は、Ｇｉｄｅｏｎ  Ｓｕｎｄｂａｃｋの基本的なジッパー設計をもとにして改良したジッパーを記述し、この公開された出願の全開示、ならびに任意のおよびすべての継続、分割、一部継続、およびこれらの結果出願された特許は、その全体が参照により本明細書に組み込まれる。
【００１１】
したがって、本発明の目的は、容易な整合および閉鎖を可能にする改善されたジッパーを提供することである。本発明の別の目的は、片手操作のために改善されたジッパーを提供することである。本発明の別の目的は、器用さに限界がある人々の使用のために改善されたジッパーを提供することである。本発明の別の目的は、手袋またはミトンを着用している間に使用することができる、改善されたジッパーを提供することである。本発明のさらに別の目的は、幼い子供によって容易に操作することができる改善されたジッパーを提供することである。本発明のこれらのおよび他の目的は、包括的または網羅的であるとは考えられず、むしろ明細書を、添付の図面および特許請求の範囲とともに読んだ後確かになる場合がある目的の例示である。  
【課題を解決するための手段】
【００１２】
本発明によると、ファスナー装置が提供され、ファスナー装置は、第１の磁石、凸型保持要素、および第１の延長部を有する第１の下部本体と、第２の磁石、凹型保持要素、および第２の延長部を有する第２の下部本体と、第１の下部本体の凸型保持要素を受容する切り欠き部、および第１の磁石と第２の磁石との吸引力により、第２の下部本体の凹型保持要素を第１の下部本体の凸型保持要素と適切に整合するようにガイドする傾斜面を有する第２の下部本体の凹型保持要素とを備える。
【００１３】
前の段落は、導入として提供されており、本明細書、特許請求の範囲、および添付の図面に記載されるように、発明の範囲を制限することを意図しない。
【図面の簡単な説明】
【００１４】
本発明は、同様の番号が同様の要素を参照する、下記の図面を参照して記載される。
【図１】図１は、結合する前の自己整合型ジッパーの斜視図を示すものである。
【図２】図２は、一旦結合した自己整合型ジッパーの斜視図を示すものである。
【図３】図３は、閉鎖の間の自己整合型ジッパーの斜視図を示すものである。
【図４】図４は、結合する前の自己整合型ジッパーの平面図を示すものである。
【図５】図５は、閉鎖型ジッパー引き手付きの自己整合型ジッパーの斜視図を示すものである。
【図６】図６は、閉鎖型ジッパー引き手付きの自己整合型ジッパーの平面図を示すものである。
【図７】図７は、閉鎖型ジッパー引き手の平面図を示すものである。
【図８】図８は、閉鎖型ジッパー引き手の斜視図を示すものである。
【図９】図９は、閉鎖型ジッパー引き手付きの自己整合型ジッパーの側面図を示すものである。
【図１０】図１０は、開放型のジッパー引き手付きの自己整合型ジッパーの斜視図を示すものである
【図１１】図１１は、開放型のジッパー引き手の平面図を示すものである。
【図１２】図１２は、開放型のジッパー引き手の斜視図を示すものである。
【図１３】図１３は、蝶番式ジッパー引き手付きの自己整合型ジッパーの斜視図を示すものである。
【図１４】図１４は、蝶番式ジッパー引き手の斜視図を示すものである。
【図１５】図１５は、蝶番式ジッパー引き手の平面図を示すものである。
【図１６】図１６は、蝶番が作用した位置の蝶番式ジッパー引き手の斜視図を示すものである。
【図１７】図１７は、第２の下部本体の上方端面図を示すものである。
【図１８】図１８は、第２の下部本体の斜視図を示すものである。
【図１９】図１９は、第２の下部本体の平面図を示すものである。
【図２０】図２０は、第２の下部本体の磁石の側面図を示すものである。
【図２１】図２１は、第２の下部本体の代替的な平面図を示すものである。
【図２２】図２２は、第２の下部本体の下方端面図を示すものである。
【図２３】図２３は、第１の下部本体の上方端面図を示すものである。
【図２４】図２４は、第１の下部本体の斜視図を示すものである。
【図２５】図２５は、第１の下部本体の平面図を示すものである。
【図２６】図２６は、第１の下部本体の磁石の側面図を示すものである。
【図２７】図２７は、第１の下部本体の代替的な平面図を示すものである。
【図２８】図２８は、第１の下部本体の下方端面図を示すものである。
【図２９】図２９は、第１の磁石の平面図を示すものである。
【図３０】図３０は、第２の磁石の斜視図を示すものである。
【図３１】図３１は、溝付き磁石の斜視図を示すものである。
【図３２】図３２は、図３１の溝付き磁石の平面図を示すものである。
【図３３】図３３は、図３１の溝付き磁石の側面図を示すものである。
【図３４】図３４は、溝付き磁石を保持するためのクリップを有する第１の下部本体の斜視図を示すものである。
【図３５】図３５は、図３４の第１の下部本体の平面図を示すものである。
【図３６】図３６は、図３４の第１の下部本体の側面図を示すものである。
【図３７】図３７は、溝付き磁石を保持するためのクリップを有する第２の下部本体の斜視図を示すものである。
【図３８】図３８は、図３７の第２の下部本体の平面図を示すものである。
【図３９】図３９は、図３７の第２の下部本体の側面図を示すものである。
【図４０】図４０は、Ｕ字型クリップの斜視図を示すものである。
【図４１】図４１は、図４０のＵ字型クリップの平面図を示すものである。
【図４２】図４２は、Ｕ字型クリップのための受容構造を有する第２の下部本体の斜視図を示すものである。
【図４３】図４３は、図４２の第２の下部本体の側面図を示すものである。
【図４４】図４４は、図４２の第２の下部本体の反対側の側面図を示すものである。
【図４５】図４５は、Ｕ字型クリップのための受容構造を有する第１の下部本体の斜視図を示すものである。
【図４６】図４６は、図４５の第１の下部本体の側面図を示すものである。
【図４７】図４７は、図４５の第１の下部本体の反対側の側面図を示すものである。
【図４８】図４８は、第１の下部本体の別の実施形態の斜視図を示すものである。
【図４９】図４９は、図４８の第１の下部本体の分解組立図を示すものである。
【図５０】図５０は、第２の下部本体の別の実施形態の斜視図を示すものである。
【図５１】図５１は、図５０の第２の下部本体の分解組立図を示すものである。
【図５２】図５２は、一旦結合した自己整合型ジッパーの（明瞭化のためジッパー引き手は図示せず）別の実施形態の斜視図を示すものである。
【発明を実施するための形態】
【００１５】
本発明は、好ましい実施形態に関連して記述されるが、発明を記載される実施形態に制限する意図はないことが理解されるであろう。反対に、意図としては、本明細書、特許請求の範囲、および添付の図面によって定義される、本発明の趣旨および範囲内に含まれる場合があるすべての代替案、改良案、および均等物を包含する。
【００１６】
本発明の一般的な理解として、図面を参照する。図面では、同一の要素を指すために、同様の参照番号が、全体を通して使用される。
【００１７】
本発明は、例示として記載され、制限ではない。本明細書に記載される発明に対する改造、改良、および追加は、本明細書を読み、添付の図面を見た後、決定される場合があり、かかる改造、改良、および追加は、本明細書に記載および想起される、本発明およびその様々な実施形態の趣旨および広範な範囲に含まれると考えられる。
【００１８】
本発明を詳細に参照すると、図１では、自己整合型ジッパーの、結合する前の斜視図が示される。ジッパーは、片手で、または物理的な能力が限られた人により閉鎖される場合があるので、ジッパーの適切な整合を確実にするために、ジッパーの各半分の部分の適切な整合が、構造的な案内要素に沿って設けられた対向する極性の磁石により達成される。自己整合型ジッパー１００を、第１の下部本体１０１および第２の下部本体１０３に沿って図１で見ることができる。第１の下部本体１０１は、第１の磁石１２７と凸型保持要素１１７とを有する。凸型保持要素１１７を、第１の下部本体１０１の各側面において、タブまたは突出部として見ることができる。凸型保持要素１１７、および凹型保持要素１２５に関連する切り欠き部は、概して三角形状であってもよく、または本発明のいくつかの実施形態では、丸みがあってもよい。第２の下部本体１０３は、第２の磁石１２９と凹型保持要素１２５とを有する。凹型保持要素１２５は、第１の下部本体１０１の凸型保持要素１１７を受容するために第２の下部本体１０３の側面に設けられた切り欠き部と、第１の磁石１２７と第２の磁石１２９との吸引力を通して、凹型保持要素１２５が凸型保持要素１１７と適切に整合されるように案内する傾斜面１２３とを有する。
【００１９】
本発明のファスナー装置は、第１の磁石１２７と、凸型保持要素１１７と、第１の延長部３０１（図３参照）とを有する第１の下部本体１０１と、第２の磁石１２９と、凹型保持要素１２５と、第２の延長部１１９とを有する第２の下部本体１０３とを有し、前記第２の下部本体１０３の前記凹型保持要素１２５は、前記第１の下部本体１０１の前記凸型保持要素１１７を受容する切り欠き部と、前記第１の磁石１２７と前記第２の磁石１２９との吸引力を通して、当該凹型保持要素１２５が前記第１の下部本体１０１の前記凸型保持要素１１７に適切に整合されるように案内する傾斜面１２３とを有する。
【００２０】
使用中に自己整合型ジッパーの整合およびガイドをさらに補助するための、いくつかの追加的な整合機能を図１８および図２４で示し、本明細書でさらに説明する。第１の磁石１２７および第２の磁石１２９は、フェライト磁石、アルニコ磁石、希土類磁石（例えばネオジム、サマリウムコバルト）などであってもよい。本発明のいくつかの実施形態では、磁石のうちの１つは、強磁性材料で置き換えられ、又は少なくとも部分的に強磁性材料から作製されてもよい。本発明のいくつかの実施形態では、磁石は、強磁性の層、プレート、又は構成要素を含んでもよい。更に、本発明のいくつかの実施形態では、磁石は、環境発電、バッテリー、ウルトラキャパシタなどの電源を利用する電磁石であってもよい。電磁石は、さらに、センサー、プロセッサーなどを含む、スマートクローシングと統合されてもよい。使用時には、対向する極性は相互に向き合い、ジッパーの各半分の部分を互いに引き寄せるように作用する吸引力を提供する。本発明のいくつかの実施形態では、磁石は磁石内に機械加工されるか、あるいは製造されたキー形状部を有し、また、第１の下部本体および第２の下部本体内に対応するキー形状部を有してもよく、これにより、磁石が下部本体内に設置されるときに磁石が保持され、さらに、適切な極性を確実に観察することができる。磁石は、接着剤、もしくは機械的な取付技法、またはこれらの組み合わせを使用して下部本体内に設置されてもよい。機械的な取付技法としては、側部の逃げ溝、スナップ機能、別個の保持部品、磁石および下部本体のキー形状部などが挙げられるが、これらに限定されるものではない。磁石は、第１の下部本体内に、もしくは第２の下部本体内に、または第１の下部本体と第２の下部本体との両方の中に完全に入れられてもよい。第１の下部本体１０１は、第１のジッパー軌道１０５に取り付けられ、第２の下部本体１０３は、第２のジッパー軌道１０７に取り付けられる。第１のジッパー軌道１０５および第２のジッパー軌道の双方は、プラスチック成形若しくは金属歯構成、コイル構成などの従来の技法を使用して作成されてもよい。第１のジッパー軌道１０５は、接着剤、熱、クリンピング、オーバーモールドなどを使用して第１のジッパーテープ１０９に固定される。同様に、第２のジッパー軌道１０７は、接着剤、熱、クリンピング、オーバーモールドなどを使用して第２のジッパーテープ１１１に固定される。第１のジッパーテープ１０９および第２のジッパーテープ１１１は、ナイロンウェビング、ナイロン、またはポリエステル織物などから作製されてもよい。そして、第１のジッパーテープ１０９および第２のジッパーテープ１１１は、自己整合型ジッパーを、自己整合型ジッパーによって一時的にともに結合する布地の２つの縁部に固定するために使用される。自己整合型ジッパーを布地の２つの縁部に固定するための一般的な技法としては、接着剤および縫製が挙げられる。第１の下部本体１０１および第２の下部本体１０３は、例えば、鋼もしくは真鍮などの金属から作成されてもよく、または例えば、ポリオキシメチレン（アセタール、ポリアセタール、およびポリホルムアルデヒドとしても知られる）又はポリエチレン樹脂などのプラスチックから作成されてもよい。自己整合型ジッパーの他の部分は、同様の材料から作製されてもよい。部品は、プラスチックの場合、射出成型されてもよく、あるいは金属の場合、鋳造、機械加工、またはスタンピングされてもよい。第２の下部本体は、アセンブリ全体に構造的な強度を提供する役に立つ第２の延長部１１９、および第２のジッパー軌道１０７を開始する開始歯１２１も有してもよい。第１のジッパー軌道１０５上には、多くの一般的なジッパーに使用されるスライダー本体部と同様のスライダー本体部１１３が位置する。スライダー本体部１１３は、ジッパー引き手を取り付けるためのプルタブ１１５を有する。図１で明瞭に見ることができるように、スライダー本体部１１３は、開始歯１２１においておよび第２の延長部１１９の縁部において、第２のジッパー軌道１０７と係合する。
【００２１】
片手操作のための自己整合型ジッパーは、第１の磁石１２７と、凸型保持要素１１７と、第１の延長部３０１（図３参照）とを有する第１の下部本体１０１と、複数の務歯を有し、かつ第１の下部本体１０１に取着された第１のジッパー軌道１０５と、第１のジッパー軌道１０５にスライド自在に接続するスライダー本体部１１３と、第２の磁石１２９と、凹型保持要素１２５と、第２の延長部１１９とを備える第２の下部本体１０３と、複数の務歯を有し、かつ第２の下部本体１０３に取着された第２のジッパー軌道１０７とを有し、前記第２の下部本体１０３の凹型保持要素１２５は、前記第１の下部本体１０１の前記凸型保持要素１１７を受容する切り欠き部と、前記第１の磁石１２７と第２の磁石１２９との吸引力を通して当該凹型保持要素１２５が第１の下部本体１０１の凸型保持要素１１７に適切に整合されるように案内する傾斜面１２３とを有する。
【００２２】
本発明のいくつかの実施形態では、製造時に、左利き用又は右利き用のどちらのジッパーを所望するかに応じて、適切な部品を左側から右側に、または右側から左側に交換することによって、ジッパーの利き手を変更する場合がある。これには、例えば、スライダー本体部１１３を代替的なジッパー軌道上に配置すること、開始歯を代替的な下部本体上に配置することなどが含まれることになる。
【００２３】
自己整合型ジッパーの各半分の部分の係合は、各半分の部分内の磁石、および本明細書に記載される整合および案内用幾何学形状によって容易になり、かつ図面に示される。自己整合型ジッパーによる閉鎖工程を開始するには、各半分の部分の磁石が相互に引き合いはじめるまで、各ジッパーの半部の部分を接近させる。磁石により各半分の部分が互いに引き寄せられると、整合および案内用幾何学形状によって適切な整合が確実となり、それによりスライダーをジッパー引き手によって引くことが可能となり、ジッパーが閉鎖する。
【００２４】
図２は、結合した自己整合型ジッパーの斜視図である。凸型保持要素１１７が凹型保持要素１２５内に固定された状態で見ることができ、スライダー本体部１１３は、第１のジッパー軌道１０５と第２のジッパー軌道１０７とに沿って、自己整合型ジッパーを閉じるように引っ張られる準備ができている。本発明のいくつかの実施形態では、凸型保持要素と凹型保持要素とが、ジッパーのそれぞれの側に配置されていることに留意するべきである。
【００２５】
図３は、閉鎖途中の自己整合型ジッパーの斜視図である。ここで、図１のようにスライダーにより視界が妨げられないので、第１の延長部３０１を見ることができる。第１の延長部３０１は、第１の下部本体１０１に取り付けられ、構造的な強度と嵌合表面とを提供する。図３では、スライダー本体部１１３は、ジッパー引き手を取り付けるためのプルタブ１１５を有する。
【００２６】
図４は、結合する前の自己整合型ジッパーの平面図である。本発明とともに様々なジッパー引き手が使用される場合がある。図５〜図１６は、３つの例示的なジッパー引き手を図示する。ジッパー引き手は、鋼もしくは真鍮などの金属、またはポリエチレンもしくはポリプロピレンなどのプラスチックから作製されてもよい。ジッパー引き手の製作方法としては、プラスチックに対する射出成型、機械加工、鋳造、スタンプ加工などが挙げられる。
【００２７】
図５は、閉鎖型ジッパー引き手５０１付きの自己整合型ジッパー１００の斜視図である。保持部５０５は、スライダー本体部１１３の上で閉鎖型ジッパー引き手５０１のプルタブ１１５への取付を提供することが示されている。更に、停止部５０３が、閉鎖型ジッパー引き手の後ろ側に突出する形状であることが示され、この停止部は、閉鎖型ジッパー引き手に対して衣服または対象物のその通常の休止位置でわずかなオフセットを提供する。これにより、閉鎖型ジッパー引き手を容易に把持しかつ操作することができるようになり、かつ下部本体基部が引き手を掛止するのを防止する。更に、本発明のいくつかの実施形態では、閉鎖型ジッパー引き手は、把持を容易にするための曲線部またはずれを有してもよい。図６は、閉鎖型ジッパー引き手付きの自己整合型ジッパーの平面図である。図７は、閉鎖型ジッパー引き手の平面図であり、図８は、閉鎖型ジッパー引き手の両側の停止部５０３を示す、閉鎖型ジッパー引き手の斜視図である。停止部として様々な幾何学的形状および構造が、本発明の趣旨および広範な範囲から逸脱することなく使用されてもよく、その様々な実施形態が本明細書に記載されかつ図示される。図９は、わずかなずれを作り出す停止部５０３の自己整合型ジッパーとの係合を示す、閉鎖型ジッパー引き手付きの自己整合型ジッパーの側面図である。このオフセットは、ジッパー引き手と自己整合型ジッパーの本体との間に隙間を提供する役に立ち、これにより、ジッパー引き手は、自己整合型ジッパーの動作と干渉しない。
【００２８】
本発明の別の実施形態では、図１０〜図１２に図示したように開放型のジッパー引き手が提供される。図１０は、開放型のジッパー引き手付きの自己整合型ジッパーの斜視図である。保持部１００５によりスライダー本体部１１３上のプルタブ１１５に開放型のジッパー引き手１００１のが取り付けが提供されることが示されている。更に、停止部１００３が、開放型のジッパー引き手の後ろ側に突出する形状であることが示され、この停止部は、開放型のジッパー引き手に対して衣服または対象物のその通常の休止位置でわずかなオフセットを提供する。これにより、開放型のジッパー引き手を容易に把持しかつ操作することができるようになり、かつ下部本体基部が引き手を掛止するのを防止する。更に、本発明のいくつかの実施形態では、開放型のジッパー引き手は、把持を容易にするための曲線部またはずれを有してもよい。図１１は、開放型のジッパー引き手の平面図であり、図１２は、開放型のジッパー引き手の両側の停止部１００３を示す、開放型のジッパー引き手の斜視図である。停止部として様々な幾何学的形状および構造が、本発明の趣旨および広範な範囲から逸脱することなく使用されてもよく、その様々な実施形態が本明細書に記載されかつ図示される。
【００２９】
本発明の別の実施形態では、蝶番式ジッパー引き手が、図１３〜図１６に示すように提供される。図１３は、蝶番式ジッパー引き手１３０１付きの自己整合型ジッパーの斜視図を示すものである。蝶番式ジッパー引き手１３０１は、２つの要素が自由に動くことができるように、ヒンジピン１３０７で接続された上部要素１３０３と下部要素１３０５とからなり、引き手を容易に把持できるように提供される。保持部１３０９は、蝶番式ジッパー引き手１３０１のスライダー本体部１１３上のプルタブ１１５への取り付けを提供することも図１３に示す。
【００３０】
図１４は、蝶番式ジッパー引き手の斜視図である。図１５は、蝶番式ジッパー引き手の平面図であり、図１６は、蝶番が作用した位置の蝶番式ジッパー引き手の斜視図である。本明細書に記載および図示されるように、本発明の趣旨および広範な範囲から逸脱することなく他のジッパー引き手も、自己整合型ジッパーとともに使用されてもよい。
【００３１】
自己整合型ジッパーの作成方法および使用方法の完全な理解のために、第１の下部本体１０１および第２の下部本体１０３の完全な一連の図を、図１７〜図２８に示す。図は、磁石、ならびに、トラックおよびテープとの構造を含まない。組み立ての間に、対向する極性が相互に面し、各下部本体にそれぞれ吸引力を提供するように、磁石が第１の下部本体および第２の下部本体の中に挿入される。
【００３２】
図１７〜図２２は、第２の下部本体の図を示す。図１７は、第２の下部本体の上方端面図である。図１８は、第２の下部本体の斜視図である。図１８では、縁部１８０１は、図２４で見られるスロット２４０３と整合し、かつ嵌合することが示されている。図１８に示すように、図２４に図示する第１の整合形状部２４０５と協動して係合する第２の整合形状部１８０３により、使用時に、ジッパーの２つの半部を容易に導入することができ、また、２つのジッパー半部の間の空間が閉鎖される。本発明のいくつかの実施形態では、第１の整合形状部２４０５と第２の整合形状部１８０３とは、ジッパーの２つの半部が適正な位置にあるときに、キー留めする、あるいは互いに嵌合するような、例えば、互いに適合するような角度または曲線を使用する形状に形成される。図１９は、第２の下部本体の平面図である。図２０は、第２の下部本体の磁石の側面図である。図２１は、第２の下部本体の代替的な平面図であり、図２２は、第２の下部本体の下方端面図である。
【００３３】
図２３〜図２８は、第１の下部本体の図を図示する。図２３は、第１の下部本体の上方端面図である。図２４は、第１の下部本体の斜視図である。図２４は、図１８に図示する縁部１８０１と係合するスロット２４０３を図示する。加えて、使用時にジッパーの２つの半部の容易な導入を可能にするように、第１の整合形状部２４０５は、図１８に示す第２の整合形状部１８０３と協動して係合する。図２５は、第１の下部本体の平面図である。図２６は、第１の下部本体の磁石の側面図である。図２７は、第１の下部本体の代替的な平面図であり、図２８は、第１の下部本体の下方端面図である。
【００３４】
図２９は、第１の磁石１２７の平面図であり、図３０は、第２の磁石１２９の斜視図である。図示するように、磁石は円筒形として示される。第１の下部本体および第２の下部本体構造に対する適切な改造により、他の幾何学的形状も使用されてもよい。第１の磁石１２７および第２の磁石１２９は、フェライト磁石、アルニコ磁石、希土類磁石（例えばネオジム、サマリウムコバルト）などであってもよい。使用時には、対向する極性は、ジッパーの各半分の部分をともに引き寄せるのに役立つ、吸引力を提供するために相互に向き合う。
【００３５】
本発明の代替的な実施形態では、第１の磁石および第２の磁石は、図３１〜図３３に示す溝付き磁石３１０１などの溝を有する。図３１は、溝付き磁石の斜視図であり、図３２は、図３１の溝付き磁石の平面図であり、図３３は、図３１の溝付き磁石の側面図である。溝３１０１は、溝付き磁石３１０１の周囲状である。溝３１０１は、溝付き磁石３１０１を保持するために、第１の下部本体および第２の下部本体の様々な形体と相互作用する。この実施例では、溝付き磁石３１０１は、自己整合型ジッパーの構築で、第１の磁石１２７および第２の磁石１２９と置き換えられる。溝付きまたは他の方法で改善された磁石の利点は、第１の下部本体および第２の下部本体の様々な形体との相互作用で、磁石の保持を容易にすることである。実施例には、クリップ、ダボ、ロッドなどの使用が含まれる。例えば、図３４〜図３９は、溝付き磁石を係合するため、又は他の方法で機械的に保持する内部留め具の使用を図示する。図３４は、溝付き磁石を保持するためのクリップを有する第１の下部本体の斜視図である。第１の留め具３４０１は、図３４で見ることができるが、第２の留め具３５０１および第１の留め具３４０１は、図３５で見ることができる。図３５は、図３４の第１の下部本体の平面図であり、図３６は、図３４の第１の下部本体の側面図である。第１の留め具３４０１および第２の留め具３５０１は、第１の下部本体および第２の下部本体と同一の材料、または異なる材料から形成されてもよい。第１の留め具３４０１および第２の留め具３５０１は、矩形、三角形、正方形などでもよく、本発明のいくつかの実施形態では、かかる配設を通して磁石の溝と接触して、溝付き磁石を保持することができるように、変形可能な、柔軟な、そうでなければ弾力的な留め具であってもよい。第２の下部本体１０３は、溝付き磁石を保持するために第１の留め具３７０１および第２の留め具３７０３が使用され、したがって組み立ての間に磁石をスナップ嵌めし、外れないようにする、同様の配設を採用してもよい。図３７は、溝付き磁石を保持するためのクリップを有する第２の下部本体の斜視図である。図３８は、図３７の第２の下部本体の平面図である。図３９は、図３７の第２の下部本体の側面図である。第１の留め具３７０１および第２の留め具３７０３は、第２の下部本体および第１の下部本体と同一の材料から、または、異なる材料から形成されてもよい。第１の留め具３７０１および第２の留め具３７０３は、矩形、三角形、正方形などでもよく、本発明のいくつかの実施形態では、かかる配設を通して磁石の溝と接触して、溝付き磁石を保持することができるように、変形可能な、柔軟な、そうでなければ弾力的な留め具であってもよい。組み立ての間、溝付き磁石は、磁石保持部２４０１内に押し込まれ、ここでクリップが、磁石の溝を係合し、これによって溝付き磁石を保持するまで周囲を通り過ぎる。
【００３６】
本発明の別の実施形態では、第１の下部本体を通り抜けるようにＵ字型クリップが採用され、したがって溝付き磁石の溝によるＵ字型クリップの保持を通して磁石を保持する。かかる配設は、第２の下部本体にも採用されてもよい。溝付き磁石３１０１は、図３１〜図３３で見ることができる。図４０は、Ｕ字型クリップ４００１の斜視図である。Ｕ字型クリップは、第１の下部本体または第２の下部本体の開口部に係合する、隆起部、切り欠き部、溝、または他の特徴を有してもよい。図４１は、図４０のＵ字型クリップの平面図であり、かかる形体、並びに一般に磁石をとらえ、かつ保持する役に立つクリップのＵ字型形状内に含まれる、持ち上がって曲線状になった形体を示す。図４２は、Ｕ字型クリップのための受容構造を有する第２の下部本体の斜視図である。第２の下部本体の片側に図示されるのは、組み立ての間にＵ字型クリップが通過するスロットである。図４３は、図４２の第２の下部本体の側面図である。図４４は、図４２の第２の下部本体の反対側の側面図である。第２の下部本体１０３の反対側には、Ｕ字型クリップ４００１を保持するために役立つ、本質的には穴である、第１のＵ字型クリップレシーバー４４０１および第２のＵ字型クリップレシーバー４４０３がある。これらの穴は、保持を促進するために、Ｕ字型クリップ４００１の構造と一致する正方形、矩形、円形の、又は他のかかる形状であってもよい。同様に、第１の下部本体１０１は、磁石の保持のためにＵ字型クリップを採用してもよい。図４５は、Ｕ字型クリップのための受容構造を有する第１の下部本体の斜視図である。スロット４５０１が、組み立ての間Ｕ字型クリップが通るところであることを見ることができる。図４６は、図４５の第１の下部本体の側面図である。図４７は、図４５の第１の下部本体の反対側の側面図である。第１の下部本体１０１の反対側には、Ｕ字型クリップ４００１を保持する役に立つ、本質的に穴である、第１のＵ字型クリップレシーバー４７０１および第２のＵ字型クリップレシーバー４７０３がある。これらの穴は、保持を促進するために、Ｕ字型クリップ４００１の構造と一致する正方形、矩形、円形の、又は他のかかる形状であってもよい。一方で、Ｕ字型クリップ４００１は、それぞれの下部本体の側面から挿入されるように図示されるが、本発明のいくつかの実施形態では、下方、上方、または角度を有して挿入されてもよい。
【００３７】
磁石保持のための他の技法としては、磁石の後または前の（接触）表面から定位置に折り重ねかつスナップ嵌めする、それぞれの下部本体に成形又は形成された二次的な部品が挙げられる。加えて、本発明のいくつかの実施形態では、それぞれの下部本体は、複数の部分で、部分の間または部分の中に磁石を挿入して作成されてもよく、次いで、様々な部分のそれぞれは、接着剤、溶接、締結具、などを使用して、ともに結合される。例えば、第１の下部本体および第２の下部本体は、２つの部分の結合を容易にするために使用するガイドおよびガイドレシーバーなどのような形体の、２つの部分で作成されてもよい。図４８〜図５２では、かかる複数部分の配設の例示的な実施形態が示される。図４８は、第１の下部本体１０１の別の実施形態の斜視図である。図４８および図４９では、第１の下部本体１０１の特性の一部は、審美的により良好な外見のために丸みがつけられることである。例えば、第１の延長部３０１および凸型保持要素１１７は、丸みのある形体を有する余裕があるが、本明細書に記載および想定されるように、それでもまだ本発明の趣旨および広範な範囲を保っている。図４９は、図４８の第１の下部本体１０１の分解組立図を示し、ここで第１のセクション４９０５および第２のセクション４９０７が図示される。第１のセクション４９０５および第２のセクション４９０７は、第１の磁石１２７を保持する役に立ち、組立（最終的な製造）の間に、第１のセクション４９０５と第２のセクション４９０７とを共に結合するように作用する、ガイド４９０１およびガイドレシーバー４９０３のような、追加的な特徴を有する場合がある。ガイド４９０１は、傾斜した縁部を有する、ガイドレシーバー４９０３内への保持を提供するレール状の構造であってもよい。ガイドレシーバー４９０３は、ガイド４９０１の面取りまたは傾斜した端部を嵌合および受容するための、面取りした内側表面などの、ガイド４９０１上の形体と嵌合する形体を有する。ガイドレシーバー開口部に対して、面取りが外向きの角度になっている場合、組み立てられたとき、２つの部品（第１のセクション４９０５および第２のセクション４９０７）はたがいに保持される。いくつかの実施形態で、第２のセクション４９０７の磁石開口と嵌合する、４９０５に示される同心円状の立ち上げられた形体などの他のガイド構造は、本発明のいくつかの実施形態で、採用されてもよい。加えて、留め具、隆起部、または他の保持機能が、ガイド、ガイドレシーバー、または第１セクションおよび第２のセクションの嵌合面で採用されてもよく、組立の間で、接着、加熱、またはプラスティック溶接などの追加的な結合技法の適用の前に、それぞれのセクションの保持およびセキュアな嵌合を可能にする。２つのセクションの間に第１の磁石１２７を保持して、第１のセクション４９０５および第２のセクション４９０７が組み立てられると、これらは、接着剤、締結具、熱、またはプラスチック溶接を使用してさらに結合される場合がある。本発明のいくつかの実施形態では、第１の磁石１２７は、さらに、第１のセクション４９０５、第２のセクション４９０７、または両方に接着、溶着、または付着される。
【００３８】
図５０は、第２の下部本体１０３の別の実施形態の斜視図である。図４８および図４９のものと同様に、第２の下部本体１０３の特性の一部は、審美的により良好な外見のために丸みがつけられることである。例えば、第２の延長部１１９および凹型保持要素１２５は、丸みのある形体を有する余裕があるが、本明細書に記載および想定されるように、それでもまだ本発明の趣旨および広範な範囲を保っている。図５１は、図５０の第２の下部本体１０３の分解組立図を示し、ここで第１のセクション５１０５および第２のセクション５１０７が図示される。第１のセクション５１０５および第２のセクション５１０７は、組み立てたときに第２の磁石１２９を保持する役に立ち、組立（最終的な製造）の間に、第１のセクション５１０５と第２のセクション５１０７とを共に結合するように作用する、ガイド５１０１およびガイドレシーバー５１０３のような、追加的な特徴を有する場合がある。ガイド５１０１は、傾斜した縁部を有する、ガイドレシーバー５１０３内への保持を提供するレール状の構造であってもよい。ガイドレシーバー５１０３は、ガイド５１０１の面取りまたは傾斜した端部を嵌合および受容するための、面取りした内側表面などの、ガイド５１０１上の形体と嵌合する形体を有する。ガイドレシーバー開口部に対して、面取りが外向きの角度になっている場合、組み立てられたとき、２つの部品（第１のセクション５１０５および第２のセクション５１０７）はたがいに保持される。いくつかの実施形態で、第２のセクション５１０７の磁石開口と嵌合する、５１０５上の同心円状の立ち上げられた形体などの他のガイド構造は、本発明のいくつかの実施形態で、採用されてもよい。加えて、留め具、隆起部、または他の保持機能が、ガイド、ガイドレシーバー、または第１セクションおよび第２のセクションの嵌合面で採用されてもよく、組立の間で、接着、加熱、またはプラスティック溶接などの追加的な結合技法の適用の前に、それぞれのセクションの保持およびセキュアな嵌合を可能にする。２つのセクションの間に第２の磁石１２９を保持して、第１のセクション５１０５および第２のセクション５１０７が組み立てられると、これらは、接着剤、締結具、熱、またはプラスチック溶接を使用してさらに結合される場合がある。本発明のいくつかの実施形態では、第２の磁石１２９は、さらに、第１のセクション５１０５、第２のセクション５１０７、または両方に接着、溶着、または付着される。
【００３９】
図５２は、自己整合型ジッパーの別の実施形態の斜視図であり、明瞭化のためジッパー引き手は図示しない。図５２に図示する自己整合型ジッパー１００は、第１の下部本体１０１および第２の下部本体１０３を採用し、図４８〜図５１に図示および記載される。第１のジッパー軌道１０５および第２のジッパー軌道１０７を、スライダー本体部１１３に沿って見ることができる。当然のことながら、使用時には、本明細書で前に説明し、かつ図示したジッパー引き手などのジッパー引き手がスライダー本体部１１３に取り付けられることになるが、明瞭化のため、図５２からは除去される。
【００４０】
自己整合型ジッパーを操作するためには、自己整合型ジッパーの２つの半部は、２つの下部本体のそれぞれの中の磁石が相互に吸引力を発生し、２つの側面が引き合うように相互に近くに配置される。２つの下部本体が接触すると、傾斜面、凸型保持要素、および凹型保持要素などの整合幾何学的形状は、整合し、かつジッパーの２つの半部の適切な嵌合を形成し、そしてジッパー引き手は、ジッパーの長さ方向に沿って動かされ、ジッパーを閉鎖する。
【００４１】
従って、本発明の様々な目的に従って、自己整合型ジッパーが提供されたことが明らかである。この発明の様々な対象物が、その好ましい実施形態とともに記載されてきたが、当業者には、数多くの代替形態、修正形態、および変形形態が明らかであることが、明白である。したがって、本明細書、特許請求の範囲、および添付の図面によって定義されるように、本発明の趣旨および広範な範囲に含まれるすべてのかかる代替形態、修正形態、および変形形態を包含することを意図する。
【図１】
2014526316.tif 000003
【図２】
2014526316.tif 000004
【図３】
2014526316.tif 000005
【図４】
2014526316.tif 000006
【図５】
2014526316.tif 000007
【図６】
2014526316.tif 000008
【図７】
2014526316.tif 000009
【図８】
2014526316.tif 000010
【図９】
2014526316.tif 000011
【図１０】
2014526316.tif 000012
【図１１】
2014526316.tif 000013
【図１２】
2014526316.tif 000014
【図１３】
2014526316.tif 000015
【図１４】
2014526316.tif 000016
【図１５】
2014526316.tif 000017
【図１６】
2014526316.tif 000018
【図１７】
2014526316.tif 000019
【図１８】
2014526316.tif 000020
【図１９】
2014526316.tif 000021
【図２０】
2014526316.tif 000022
【図２１】
2014526316.tif 000023
【図２２】
2014526316.tif 000024
【図２３】
2014526316.tif 000025
【図２４】
2014526316.tif 000026
【図２５】
2014526316.tif 000027
【図２６】
2014526316.tif 000028
【図２７】
2014526316.tif 000029
【図２８】
2014526316.tif 000030
【図２９】
2014526316.tif 000031
【図３０】
2014526316.tif 000032
【図３１】
2014526316.tif 000033
【図３２】
2014526316.tif 000034
【図３３】
2014526316.tif 000035
【図３４】
2014526316.tif 000036
【図３５】
2014526316.tif 000037
【図３６】
2014526316.tif 000038
【図３７】
2014526316.tif 000039
【図３８】
2014526316.tif 000040
【図３９】
2014526316.tif 000041
【図４０】
2014526316.tif 000042
【図４１】
2014526316.tif 000043
【図４２】
2014526316.tif 000044
【図４３】
2014526316.tif 000045
【図４４】
2014526316.tif 000046
【図４５】
2014526316.tif 000047
【図４６】
2014526316.tif 000048
【図４７】
2014526316.tif 000049
【図４８】
2014526316.tif 000050
【図４９】
2014526316.tif 000051
【図５０】
2014526316.tif 000052
【図５１】
2014526316.tif 000053
【図５２】
2014526316.tif 000054
【国際調査報告】
2014526316.tif 000055
2014526316.tif 000056